(57)【要約】【課題】携帯通信端末からネットワークを介して行う処理を、承認が得られた場合に実行することで有害な行動を防ぐ携帯通信端末、通信制御方法、通信制御プログラム及び記録媒体を提供する。【解決手段】ネットワークと接続して行う処理のうち、承認が必要となる一定の処理を予め定め、承認手法情報、承認依頼先情報、承認状態情報から少なくとも構成される承認情報を格納する承認情報データベースと、前記一定の処理を実行する場合は承認情報データベースから承認情報を取得し、承認状態を判断する手段と、承認を依頼する必要があると判断された場合は承認依頼先に承認依頼を発行する承認発行手段と、承認依頼に対する承認結果を解析する承認解析手段と、を備え、前記承認処理手段は解析結果に基づいて前記承認情報データベースが格納する承認情報の更新、前記承認が得られた場合は前記一定の処理の実行を許可することを特徴とする。【選択図】図１
2009188721.tif 000002
【特許請求の範囲】
【請求項１】
ネットワークと接続して行う処理のうち、承認が必要となる一定の処理を予め定め、承認手法情報、承認依頼先情報、承認状態情報から少なくとも構成される承認情報を格納する承認情報データベースと、
前記承認が必要となる一定の処理を実行する場合は、前記承認情報データベースから前記承認情報を取得し、承認状態を判断する承認処理手段と、
前記承認処理手段により、承認を依頼する必要があると判断された場合は、前記承認依頼先に承認依頼を発行する承認発行手段と、
前記承認依頼に対する承認結果を解析する承認解析手段と、を備え、
前記承認処理手段は、前記承認解析手段による解析結果に基づき、前記承認情報データベースが格納する承認情報の更新、前記承認が必要となる一定の処理の承認が得られた場合は前記一定の処理の実行を許可することを特徴とする携帯通信端末。
【請求項２】
前記承認手法情報は、メール認証、ＩＣ認証、生体認証、第三者認証のいずれかであることを特徴とする請求項１記載の携帯通信端末。
【請求項３】
前記承認状態情報は、承認を既に得て前記一定の処理が許可されている状態、前記一定の処理が禁止されている状態、前記承認を依頼中の状態、前記承認を依頼する必要がある状態、のいずれかであることを特徴とする請求項１又は２記載の携帯通信端末。
【請求項４】
前記承認が必要となる一定の処理は、ＨＰを閲覧するためのＵＲＬ接続処理、若しくはネットワーク上の掲示板へ投稿するためのデータ送信処理であることを特徴とする請求項１から３のいずれか１項記載の携帯通信端末。
【請求項５】
ネットワークと接続して行う処理のうち、承認が必要となる一定の処理を予め定めるステップと、
前記承認が必要となる一定の処理を実行する場合は、承認手法情報、承認依頼先情報、承認状態情報から少なくとも構成される承認情報を格納する承認情報データベースから、前記承認情報を取得し、承認状態を判断するステップと、
前記判断するステップにより、承認を依頼する必要があると判断された場合は、前記承認依頼先に承認依頼を発行するステップと、
前記承認依頼に対する承認結果を解析するステップと、
前記解析するステップによる解析結果に基づき、前記承認情報データベースが格納する承認情報の更新、前記承認が必要となる一定の処理の承認が得られた場合は前記一定の処理の実行を許可するステップと、を備えることを特徴とする通信制御方法。
【請求項６】
ネットワークと接続して行う処理のうち、承認が必要となる一定の処理を予め定める処理と、
前記承認が必要となる一定の処理を実行する場合は、承認手法情報、承認依頼先情報、承認状態情報から少なくとも構成される承認情報を格納する承認情報データベースから、前記承認情報を取得し、承認状態を判断する承認処理と、
前記承認処理により、承認を依頼する必要があると判断された場合は、前記承認依頼先に承認依頼を発行する承認発行処理と、
前記承認依頼に対する承認結果を解析する承認解析処理と、
前記承認解析処理による解析結果に基づき、前記承認情報データベースが格納する承認情報の更新、前記承認が必要となる一定の処理の承認が得られた場合は前記一定の処理の実行を許可する処理を、コンピュータに実行させることを特徴とする通信制御プログラム。
【請求項７】
前記請求項６記載の通信制御プログラムの処理を記録するコンピュータ読取り可能な記録媒体。
【発明の詳細な説明】
【技術分野】
【０００１】
本発明は、携帯通信端末、通信制御方法、通信制御プログラム及び記録媒体に関し、特にネットワークと接続して行う一定の処理においては承認を必要とする携帯通信端末、通信制御方法、通信制御プログラム及び記録媒体に関する。
【背景技術】
【０００２】
携帯電話機は現在広く普及し、若年層においても使用されるようになってきた。平成18年通信利用動向調査によると6〜12歳で25%、13〜19歳で84%の普及率となっている。それに伴い、若年層の携帯電話機使用において著作権や肖像権などの情報モラルが問題となっている。
【０００３】
そこで、通信端末間で構築されたネットワークを経由してデータの送受信を行うシステムであって、送受信の可否を判断する設定情報や、ＵＲＬ（Uniform Resource Locators）情報から通信の可否を判断する技術が知られている（特許文献１、２参照）。
【特許文献１】特開２００５−０８６４１６号公報
【特許文献２】特開２００５−１０７８３１号公報
【発明の開示】
【発明が解決しようとする課題】
【０００４】
しかしながら、通信の際に得られる情報（ＵＲＬ情報、ＩＰアドレスなど）だけでは通信可否の判断として不十分であると考えられる。例えばＨＰ（Home Page）閲覧の制限する際に見た目などの要素は通信可否の判断として定義しにくいため、通信の際に得られる情報としては問題が無くても、人が目視で確認した場合に問題があることが考えられる。従って携帯電話機の使用時のネットワークを介した処理（ＨＰ閲覧、掲示板への書込み）において、その場で処理を実行せずに処理の内容を確認、承認した後に実行することで有害な行動を防ぐ必要がある。
【０００５】
また、自身での承認処理しか存在しない場合は、自身で通信の可否について正確な判断が出来ないと有害な行動につながる可能性がある。特に若年層に携帯電話機が普及していることを考慮すると問題となる。そのため、使用者以外の他者（親権者や代理人）による確認（目視など）も行うことで、通信可否の判断の精度を上げることも必要となる。
【０００６】
本発明はこのような状況に鑑みてなされたものであり、携帯通信端末からネットワークを介して行う処理を、承認が得られた場合に実行することで有害な行動を防ぐことを目的としている。
【課題を解決するための手段】
【０００７】
本発明に係る第１の携帯通信端末は、ネットワークと接続して行う処理のうち、承認が必要となる一定の処理を予め定め、承認手法情報、承認依頼先情報、承認状態情報から少なくとも構成される承認情報を格納する承認情報データベースと、前記承認が必要となる一定の処理を実行する場合は、前記承認情報データベースから前記承認情報を取得し、承認状態を判断する承認処理手段と、前記承認処理手段により、承認を依頼する必要があると判断された場合は、前記承認依頼先に承認依頼を発行する承認発行手段と、前記承認依頼に対する承認結果を解析する承認解析手段と、を備え、前記承認処理手段は、前記承認解析手段による解析結果に基づき、前記承認情報データベースが格納する承認情報の更新、前記承認が必要となる一定の処理の承認が得られた場合は前記一定の処理の実行を許可することを特徴とする。
【０００８】
本発明に係る第１の通信制御方法は、ネットワークと接続して行う処理のうち、承認が必要となる一定の処理を予め定めるステップと、前記承認が必要となる一定の処理を実行する場合は、承認手法情報、承認依頼先情報、承認状態情報から少なくとも構成される承認情報を格納する承認情報データベースから、前記承認情報を取得し、承認状態を判断するステップと、前記判断するステップにより、承認を依頼する必要があると判断された場合は、前記承認依頼先に承認依頼を発行するステップと、前記承認依頼に対する承認結果を解析するステップと、前記解析するステップによる解析結果に基づき、前記承認情報データベースが格納する承認情報の更新、前記承認が必要となる一定の処理の承認が得られた場合は前記一定の処理の実行を許可するステップと、を備えることを特徴とする。
【０００９】
本発明に係る第１の通信制御プログラムは、ネットワークと接続して行う処理のうち、承認が必要となる一定の処理を予め定める処理と、前記承認が必要となる一定の処理を実行する場合は、承認手法情報、承認依頼先情報、承認状態情報から少なくとも構成される承認情報を格納する承認情報データベースから、前記承認情報を取得し、承認状態を判断する承認処理と、前記承認処理により、承認を依頼する必要があると判断された場合は、前記承認依頼先に承認依頼を発行する承認発行処理と、前記承認依頼に対する承認結果を解析する承認解析処理と、前記承認解析処理による解析結果に基づき、前記承認情報データベースが格納する承認情報の更新、前記承認が必要となる一定の処理の承認が得られた場合は前記一定の処理の実行を許可する処理を、コンピュータに実行させることを特徴とする。
【００１０】
本発明に係る第１の記録媒体は、本発明の第１の通信制御プログラムの処理を記録するコンピュータ読取り可能な記録媒体である。
【発明の効果】
【００１１】
本発明によれば、携帯通信端末からネットワークを介して行う処理を、承認が得られた場合に実行することで有害な行動を防ぐことが出来る。
【発明を実施するための最良の形態】
【００１２】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１３】
携帯通信端末は、例えば携帯電話機、ＰＨＳ（Personal Handyphone System）、ＰＤＡ（Personal Data Assistance，Personal Digital Assistants：個人向け携帯型情報通信機器）等であり、ネットワークへのアクセスが可能な装置であれば良い。本実施形態では、携帯通信端末の一例として携帯電話機を用いて説明する。
【００１４】
本発明の実施形態に係る携帯電話機は、少なくとも処理解析部３、承認情報データベース（DB）４、承認処理部６、承認発行部８、承認解析部７、承認部９から構成される（図１参照）。
【００１５】
処理解析部３は解析を行い、ブラウザ１またはメニュー２での処理内容（HP閲覧、掲示板への書込み、承認方法変更、承認者変更）を解析し、導き出す。
【００１６】
処理内容がインターネット上のHP閲覧の場合は、アクセス先情報も導出する。また、処理内容がインターネット上の掲示板への書込みである場合は、書込み先、書込み内容も導出する。
【００１７】
ブラウザ１からのHP閲覧、掲示板への書込みである場合は解析した情報を基に承認情報DBへアクセスし、承認状態（許可、禁止、承認依頼中、要承認）を取得する。取得した承認状態に従い、承認が必要であれば承認処理部６を呼び出し、承認情報を渡す。承認情報とは承認情報DB４が格納する情報で、処理の内容（HP閲覧、掲示板への書込み）に関連する設定情報を含む。
【００１８】
承認情報DB４は図２及び図３に示すように、掲示板設定情報（書込み先アドレス、書込み内容、承認状態の情報、承認状態期限）、HP設定情報（HPアドレス、承認状態、承認状態期限）、処理内容毎の承認方法情報（処理内容、承認方法、承認状態、承認状態期限）、承認者情報（氏名、メールアドレス、承認状態、承認状態期限）を管理する。
【００１９】
また、メニュー２からの承認方法変更、承認者変更の処理である場合は承認情報DB４へアクセスし、承認状態を取得する。取得した承認状態が承認依頼中であれば、承認依頼ができない旨を伝え、承認依頼中で無ければ、承認処理部６を呼び出し、承認方法変更、承認者変更に関連する設定情報を渡す。
【００２０】
承認処理部６では承認処理の制御を行う。処理解析部３で要承認と定められた場合、承認依頼を行うために承認発行部８を呼び出す。
【００２１】
承認依頼に対しての結果となる承認結果５は承認処理部６で取得し、承認解析部７を呼び出して内容の解析を行う。解析した内容で承認情報DB４を更新する。
【００２２】
承認発行部８では、承認部９に設定されている承認方法に従って承認を依頼する。図１では、一例として、生体認証での認証（生体認証１０）、メールでの認証（メール１１）、ＩＣ（Integrated Circuit）での認証（ＩＣ認証１２）、第三者による認証（第三者認証１３）が挙げられる。承認結果５が承認処理部６に送られる。
【００２３】
メール１１の場合は、指定のメールアドレスにメール送信し、承認を依頼する。
【００２４】
IC認証１２の場合は、使用者の携帯端末機上に承認処理を実行する。
【００２５】
第三者認証１３は、使用者以外の他者（親権者や代理人）により承認が行われる。具体的には使用者以外の者へメールを送信して承認を依頼したり、第三者が目視等により確認した後、第三者のパスワードを入力して承認したり、第三者の生体認証等が考え得る。第三者の判断による承認とすることで、通信の際に得られる情報（ＵＲＬ情報、ＩＰアドレス等）だけで判断する場合に比べて、実行の判断の精度を上げることができる。
【００２６】
承認解析部７では、取得した承認情報からブラウザ１からのHP（Home Page）のアクセス、掲示板への書込み処理の場合は承認状態、承認情報期限を導出する。承認方法変更の場合は、承認状態、承認情報期限、承認方法情報を導出する。承認者変更の場合は、承認状態、承認情報期限、承認者情報を導出する。
【００２７】
次に、本実施形態に係る携帯電話機の動作処理について説明する。ブラウザ１、メニュー２からHP閲覧、掲示板への書込み、承認方法変更、承認者変更の依頼を受けた場合、処理解析部３により導き出した処理内容を基にそれぞれの承認処理へ移る。それぞれの承認処理終了後、承認情報DB４へアクセスし取得した承認状態をブラウザ１、またはメニュー２へ返す。
【００２８】
図４は、本実施形態に係るHP閲覧承認の動作処理を示すフローチャートである。
【００２９】
処理解析部３を用いて解析を行った結果の処理内容がブラウザ１におけるHP閲覧である場合は、さらにアクセス先HPの解析を行い、解析した情報（処理内容、アクセス先HP）を基に承認情報DB４へアクセスする（図４  Ａ１）。承認情報DB４にアクセス先HPの情報があれば（Ａ２／Ｙｅｓ）、その内容を参照する。参照した結果が許可、禁止、承認依頼中である場合は、承認の必要は無いため処理を終了する（Ａ３／Ｎｏ）。
【００３０】
参照した結果が要承認である場合（Ａ３／Ｙｅｓ）、または、承認情報DB４にアクセス先HPの情報が無い場合は（Ａ２／Ｎｏ）承認を得る必要があるため、承認処理部６を呼び出す。承認処理部６において承認依頼内容を決定後、承認発行部８を用いて承認方法に従った承認依頼を発行する（Ａ４）。その後、承認情報DB４へアクセスし、承認状態を承認依頼中に更新する（Ａ５）。
【００３１】
図５は、本実施形態に係る掲示板への書込み承認の動作処理を示すフローチャートである。
【００３２】
処理解析部３を用いて解析を行った結果の処理内容がブラウザ１における掲示板への書込みである場合は、さらに書込み先、書込み内容の解析を行い、解析した情報（処理内容、書込み先、書込み内容）を基に承認情報DB４へアクセスする（図５  Ｂ１）。承認情報DB４に書込み先および書込み内容の情報があれば（Ｂ２／Ｙｅｓ）、その内容を参照する。参照した結果が許可、禁止、承認依頼中である場合は、承認の必要は無いため処理を終了する（Ｂ３／Ｎｏ）。
【００３３】
参照した結果が要承認である場合（Ｂ３／Ｙｅｓ）、または、承認情報DB４に情報が無い場合は（Ｂ２／Ｎｏ）承認を得る必要があるため、承認処理部６を呼び出す。承認処理部６において承認依頼内容を決定後、承認発行部８を用いて承認方法に従った承認依頼を発行する（Ｂ４）。その後、承認情報DB４へアクセスし、承認状態を承認依頼中に更新する（Ｂ５）。
【００３４】
図６は、本実施形態に係る承認方法および承認者変更の動作処理を示すフローチャートである。
【００３５】
処理解析部３を用いて解析を行った結果の処理内容がメニュー２における承認方法変更または、承認者変更である場合は、承認情報DB４へアクセスし承認状態を確認する（図６  Ｃ１）。承認状態が承認依頼中である場合（Ｃ２／Ｙｅｓ）、使用者に現在承認依頼中であるため、承認依頼はできない旨を伝える（Ｃ３）。
【００３６】
承認状態が承認依頼中ではなく、要承認である場合は（Ｃ２／Ｎｏ）承認を得る必要があるため、承認処理部６を呼び出す。承認処理部６において承認依頼内容を決定後、承認発行部８を用いて承認方法に従った承認依頼を発行する（Ｃ４）。その後、承認情報DB４へアクセスし、承認状態を承認依頼中へ更新する（Ｃ５）。
【００３７】
承認処理部６において承認情報を取得した場合は承認解析部７を用い承認内容（承認依頼内容、承認結果（承認状態、承認情報期限））を確認する。承認内容に基づき、承認情報DB４を更新する。
【００３８】
一度承認結果を得た内容に関して、再度、承認を依頼したい場合は再依頼したい内容の承認情報DB４の情報を削除する。その後に再度、ブラウザ１または、メニュー２から依頼を出すことができる。
【００３９】
上記実施形態により、使用におけるネットワークを介した処理（HP閲覧、掲示板への書込み）において、その場で処理を実行せずに処理の内容を確認、承認した後に実行することで、承認を得られるまでHP閲覧、掲示板への書込みの処理を実行できなくなるため、有害な行動になることを防ぐ効果がある。
【００４０】
また、自身で行動に問題であると認識できない場合でも自身以外の他者（親権者や代理人）により目視などによって確認・承認が行われ、認証を得ることで、通信の際に得られる情報（ＵＲＬ情報、ＩＰアドレス等）だけで判断する場合に比べて、有害な行動になることを防ぐ際の判断の精度を上げることができる。
【００４１】
また、承認方法は、メールを使用した認証、ICによる認証、生体認証を用いた認証、第三者認証が選択でき、必要に応じて変更することができ、承認者も必要に応じて変更することができる。そのため、使用者の環境に応じて使用方法を選択できる。
【００４２】
本発明の他の実施形態としては、携帯端末の重要動作（パスワード変更、端末初期化）に関しても承認することも考え得る。
【００４３】
以上の説明では、携帯電話機で承認処理を実行する場合を説明したが、ＰＨＳ等の他の携帯端末装置でも同様にして承認処理を実現することができる。
【００４４】
なお、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４５】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００４６】
【図１】本発明の実施形態に係る携帯電話機のブロック構成図である。
【図２】本発明の実施形態に係る設定情報の一例を示す図である。
【図３】本発明の実施形態に係る承認情報の一例を示す図である。
【図４】本発明の実施形態に係るHP閲覧承認の動作処理を示すフローチャートである。
【図５】本発明の実施形態に係る掲示板への書込み承認の動作処理を示すフローチャートである。
【図６】本発明の実施形態に係る承認方法および承認者変更の動作処理を示すフローチャートである。
【符号の説明】
【００４７】
１    ブラウザ
２    メニュー
３    処理解析部
４    承認情報データベース（DB）
５    承認結果
６    承認処理部
８    承認発行部
７    承認解析部
９    承認部
１０    生体認証
１１    メール
１２    ＩＣ認証
１３    第三者認証
１４    携帯電話機
【図１】
2009188721.tif 000003
【図２】
2009188721.tif 000004
【図３】
2009188721.tif 000005
【図４】
2009188721.tif 000006
【図５】
2009188721.tif 000007
【図６】
2009188721.tif 000008